【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
画像スキャン装置の動作方法であって、
前記画像スキャン装置が、ライン・スキャン検出器を含み、前記画像スキャン装置内に装着されている物体の表面を複数の帯状に撮像するように構成され、各帯が一群のスキャン・ラインによって形成され、各スキャン・ラインが、前記スキャン・ライン検出器を使用して、スキャン幅方向に延びる前記物体の表面のそれぞれの細長領域から取得され、各群のスキャン・ラインが、前記物体を前記スキャン・ライン検出器に対してスキャン長さ方向に移動させる間に取得され、
前記方法が、
前記スキャン・ライン検出器を使用して前記画像スキャン装置内に装着されている第１物体の表面から取得された少なくとも１本のスキャン・ラインを使用して、前記第１物体の表面が前記画像スキャン装置の撮像面に対して前記スキャン幅方向に平坦でない（例えば、傾いている）ことを示す少なくとも１つの尺度を得るステップと、
前記画像スキャン装置内に装着されている第２物体の表面から少なくとも１つの帯を取得するときに使用する帯幅値を設定するステップであって、前記帯幅値が、前記少なくとも１つの尺度に基づいて設定され、前記第２物体の表面から取得された各前記帯を、その幅にわたって前記スキャン幅方向に、実質的に合焦状態に保持するように構成される、ステップと、
前記スキャン・ライン検出器を使用して、前記第２物体の表面から少なくとも１つの帯を取得するステップであって、前記第２物体の表面から取得された前記少なくとも１つの帯が、前記スキャン幅方向において、前記少なくとも１つの尺度に基づいて設定された前記帯幅値に対応する幅を有する、ステップと、
を含む、画像スキャン装置の動作方法。
【請求項２】
請求項１記載の方法において、前記第２物体が前記第１物体と同じである、方法。
【請求項３】
請求項１または２記載の方法において、前記少なくとも１つの尺度が、前記スキャン幅方向に互いにずれた２つ以上の位置において、少なくとも１本のスキャン・ラインについて計算された焦点メリット関数の出力を使用して計算される、方法。
【請求項４】
請求項１記載の方法において、前記少なくとも１つの尺度が、（ｉ）前記第１物体の表面上の第１位置における合焦レベルと、（ｉｉ）前記第１物体の表面の第２位置における合焦レベルとの間の距離を示す少なくとも１つの焦点差を含み、前記第１位置および第２位置が、前記スキャン幅方向に互いにずれている、方法。
【請求項５】
請求項４記載の方法において、前記少なくとも１つの焦点差が、前記スキャン幅方向に互いにずれた２つ以上の位置において、少なくとも１本のスキャン・ラインについて計算された焦点メリット関数の出力を使用して計算される、方法。
【請求項６】
請求項４記載の方法において、前記少なくとも１つの尺度が複数の焦点差を含み、前記複数の焦点差を組み合わせて複合焦点差を求め、前記帯幅値が前記複合焦点差に基づいて設定される、方法。
【請求項７】
請求項１記載の方法において、前記第２物体が前記第１物体と同じ物体であり、前記方法が、前記物体の表面上において、前記少なくとも１本のスキャン・ラインを取得するのに適した１つ以上のエリアを識別し、続いて前記物体の表面上において識別した１つ以上のエリアから少なくとも１本のスキャン・ラインを取得するステップを含む、方法。
【請求項８】
請求項１記載の方法において、前記少なくとも１つの尺度が得られる複数のスキャン・ラインが、前記スキャン幅方向に延びる前記第１物体の表面の１つの細長領域から取得され、各スキャン・ラインが取得される間前記画像スキャン装置が異なる焦点設定値を有する、方法。
【請求項９】
請求項１から８のいずれか１項記載の方法において、前記少なくとも１つの尺度が得られる複数のスキャン・ラインが、帯を形成する一群のスキャン・ラインであり、各スキャン・ラインが、前記スキャン長さ方向に前記スキャン・ライン検出器に対して前記第１物体を移動させる間に、前記スキャン幅方向に延びる前記第１物体の表面のそれぞれの細長領域から取得される、方法。
【請求項１０】
請求項１記載の方法において、前記第２物体が前記第１物体と同じであり、前記少なくとも１つの尺度が得られる複数のスキャン・ラインが、帯を形成する一群のスキャン・ラインであり、前記帯が、前記帯が取得される間に前記画像スキャン装置の前記焦点設定値が調節される動的焦点追跡方法を使用して、前記物体の表面から取得される、方法。
【請求項１１】
請求項１０記載の方法において、前記物体の表面から新たな帯が取得される毎に、前記新たな帯を形成するスキャン・ラインを使用して前記少なくとも１つの尺度を得て、前記帯幅値が、新たな帯が取得される毎に前記帯幅値が設定されるように、前記少なくとも１つの尺度に基づいて設定される、方法。
【請求項１２】
請求項１記載の方法において、前記物体の表面から取得された新たな帯に基づいて設定された帯幅値が、前記新たな帯の取得中に使用されていた、以前に設定された帯幅値よりも小さい場合、前記新たな帯に基づいて設定されている前記小さい方の帯幅値に基づいて、前記新たな帯の幅を狭め、
前記物体の表面から取得された新たな帯に基づいて設定された帯幅値が、前記新たな帯の取得中に使用されていた、以前に設定された帯幅値よりも大きい場合、前記新たな帯に基づいて設定されている前記大きい方の帯幅値に基づいて、前記新たな帯の幅を広げる、方法。
【請求項１３】
請求項１記載の方法において、前記少なくとも１つの尺度が、前記スキャン幅方向に互いにずれた２つ以上の位置において、少なくとも１本のスキャン・ラインについて計算された焦点メリット関数の出力を含む、方法。
【請求項１４】
請求項１記載の方法において、前記帯幅値が、前記少なくとも１つの尺度と、前記画像スキャン装置の焦点深度とに基づいて設定され、前記少なくとも１つの尺度および前記焦点深度が、前記第２物体の表面から取得された各前記帯を、前記スキャン幅方向にその幅にわたって実質的に合焦状態に維持する間に取得される帯の幅を最大化するための、最大使用可能帯幅であると見なされる帯幅値を設定するために使用される、方法。
【請求項１５】
請求項１から１４のいずれか１項記載の方法において、前記第２物体が、標本が載せられたスライドであり、前記標本が生体試料である、方法。
【請求項１６】
ライン・スキャン検出器を含む画像スキャン装置であって、
前記画像スキャン装置が、前記画像スキャン装置内に装着された物体の表面を複数の帯状に撮像するように構成され、各帯が一群のスキャン・ラインによって形成され、各スキャン・ラインが、前記スキャン・ライン検出器を使用して、スキャン幅方向に延びる前記物体の表面のそれぞれの細長領域から取得され、各群のスキャン・ラインが、前記物体をスキャン長さ方向に前記スキャン・ライン検出器に対して移動させる間に取得され、
前記画像スキャン装置が、更に、
前記スキャン・ライン検出器を使用して、前記画像スキャン装置内に装着されている第１物体の表面から取得された少なくとも１本のスキャン・ラインを使用して、前記第１物体の表面が前記画像スキャン装置の撮像面に対して前記スキャン幅方向に平坦でない（例えば、傾いている）ことを示す少なくとも１つの尺度を得るように構成され、
前記画像スキャン装置内に装着されている第２物体の表面から少なくとも１つの帯を取得するときに使用する帯幅値を設定するように構成され、前記帯幅値が、前記少なくとも１つの尺度に基づいて設定され、前記第２物体の表面から取得された各前記帯を、その幅にわたって前記スキャン幅方向に、実質的に合焦状態に保持するように構成され、
前記スキャン・ライン検出器を使用して、前記第２物体の表面から少なくとも１つの帯を取得するように構成され、前記第２物体の表面から取得された前記少なくとも１つの帯が、前記スキャン幅方向において、前記少なくとも１つの尺度に基づいて設定された前記帯幅値に対応する幅を有する、画像スキャン装置。
【請求項１７】
請求項１から１５の何れか一項記載の方法を画像スキャン装置に実行させるように構成されたコンピュータ実行可能命令を有する非一時的コンピュータ読み取り可能媒体。